(57)【要約】【課題】  鉱物等の付加部材に貫通孔を設けることなく付加部材を保持することができ、また、付加部材の種類を変更することが容易な人体装着具を得る。【解決手段】  シート状の形状であり、弾性を有する基材部と、シート状の基材部の少なくとも一方の表面に開口を有し、付加部材を保持するための挿入孔部とを有する、人体装着具である。【選択図】図１Ａ
2014171850.tif 000002
【特許請求の範囲】
【請求項１】
シート状の形状であり、弾性を有する基材部と、
シート状の基材部の少なくとも一方の表面に開口を有し、付加部材を保持するための挿入孔部とを有する、人体装着具。
【請求項２】
挿入孔部が、シート状の基材部の両方の表面に開口を有し、基材部を貫通するように形成される貫通孔部である、請求項１に記載の人体装着具。
【請求項３】
貫通孔部の一方の端部である第１端部の断面の最小寸法Ｒ１ｉｎ＿ｍｉｎと、貫通孔部の中央部における断面の最小寸法Ｒ＿ｍｉｎとの関係が、
Ｒ１ｉｎ＿ｍｉｎ≦Ｒ＿ｍｉｎ
であり、
貫通孔部の第１端部とは反対側の端部である第２端部の断面の最小寸法Ｒ２ｉｎ＿ｍｉｎと、貫通孔部の中央部における断面の最小寸法Ｒ＿ｍｉｎとの関係が、
Ｒ２ｉｎ＿ｍｉｎ≦Ｒ＿ｍｉｎであり、
である、請求項２に記載の人体装着具。
【請求項４】
貫通孔部の第１端部の断面の最小寸法Ｒ１ｉｎ＿ｍｉｎが、貫通孔部の中央部における最小寸法Ｒ＿ｍｉｎの５０〜９８％である、請求項３に記載の人体装着具。
【請求項５】
シート状の基材部の厚さＴが、貫通孔部の第１端部から第２端部までの長さＬの５〜５０％以下であり、
第２端部と、基材部の第２端部側の表面を含む平面との距離Ｄが、長さＬの０〜２０％である、請求項３又４に記載の人体装着具。
【請求項６】
挿入孔部の断面形状が、楕円、円形又は多角形である、請求項１〜５のいずれか１項に記載の人体装着具。
【請求項７】
挿入孔部の開口を有する少なくとも一方の端部の断面の形状と、挿入孔部の中央部における断面の形状が、同じである、請求項６に記載の人体装着具。
【請求項８】
挿入孔部の開口の断面形状が円であり、貫通孔部の中央部における断面形状が多角形である、請求項６に記載の人体装着具。
【請求項９】
シート状の基材部が、帯状の形状であり、複数の挿入孔部が帯状の基材部の幅の略中央に一列に形成される、請求項１〜８のいずれか１項に記載の人体装着具。
【請求項１０】
基材部の長さ方向の少なくとも一方の端部に、他方の端部と連結するための連結部を有する、請求項１〜９のいずれか１項に記載の人体装着具。
【請求項１１】
基材部の材料が、シリコーン樹脂又は熱可塑性エストラマーである、請求項１〜１０のいずれか１項に記載の人体装着具。
【請求項１２】
貫通孔部の貫通孔に付加部材を挿入したブレスレット、アンクレット、ネックレス、ベルト又は時計のバンドである、請求項１〜１１のいずれか１項に記載の人体装着具。
【発明の詳細な説明】
【技術分野】
【０００１】  鉱物などの付加部材を保持するための人体装着具に関する。
【背景技術】  腕時計、ブレスレット、あるいはネックレスなどの装身具において、装飾部品及び健康増進部品などの付加部材を、表面に確実に固定することが必要である。【０００２】  例えば、特許文献１には、帯状装身具の外面に配置された付加部材と、付加部材の外側に接する透過保持部材と、この透過保持部材が帯状装身具より脱落することを防ぐ脱落防止手段とを備え、脱落防止手段によって帯状装身具に配置された透過保持部材の内側に、付加部材が保持された帯状装身具が記載されている。【０００３】  また、特許文献２には、帯状装身具の表面に配置された付加部材と、付加部材の外側に接する保持部材と、この保持部材が帯状装身具より脱落することを防ぐ脱落防止手段とを備え、脱落防止手段によって帯状装身具に配置された保持部材の内側に、付加部材が保持される帯状装身具が記載されている。【０００４】  また、健康増進部品を備えたアクセサリーとして、例えば、特許文献３には、マイナスイオン発生アクセサリーであって、このマイナスイオン発生アクセサリーに設けられるマイナスイオン発生体と、このマイナスイオン発生体を構成するマイナスイオン発生塗料付着体の表面に付着された後に焼き付けられてコーティングされたマイナスイオン発生塗料と、このマイナスイオン発生塗料はパウダー状のマイナスイオン発生鉱石がマイナスイオン発生塗料の１０重量％〜２０重量％で樹脂塗料がマイナスイオン発生塗料の９０重量％〜８０重量％で形成されていることを特徴とするマイナスイオン発生アクセサリーが記載されている。
【先行技術文献】
【特許文献】
【０００５】
【特許文献１】  特開２００４−８１７４４号公報
【特許文献２】  特開２００４−６５７０５号公報
【特許文献３】  特開２００８−１６７９６７号公報
【発明の概要】
【発明が解決しようとする課題】
【０００６】  ブレスレット等の人体装着具において、装飾部品や健康増進部品などの付加部材を、確実に保持する必要がある。例えば、鉱物の健康増進部品を有するブレスレットの場合には、球形の鉱物に貫通孔を設け、貫通孔に紐を通し、リング状にすることによって鉱物を保持し、腕などに巻きつけることができる。【０００７】  しかしながら、鉱物に貫通孔を設けることは煩雑である。また、鉱物の種類を変更することは容易ではない。【０００８】  そこで、本発明は、付加部材に貫通孔を設けることなく付加部材を保持することができ、また、付加部材の種類を変更することが容易な人体装着具を提供することを目的とする。
【課題を解決するための手段】
【０００９】（構成１）
本発明の構成１は、シート状の形状であり、弾性を有する基材部と、シート状の基材部の少なくとも一方の表面に開口を有し、付加部材を保持するための挿入孔部とを有する、人体装着具である。本発明の人体装着具では、弾性を有する基材部の挿入孔部に付加部材を挿入することによって、付加部材を保持することができる。そのため、本発明の人体装着具は、付加部材に貫通孔を設けることなく付加部材を保持することができ、また、付加部材の種類を変更することが容易である。【００１０】（構成２）
本発明の構成２は、挿入孔部が、シート状の基材部の両方の表面に開口を有し、基材部を貫通するように形成される貫通孔部を有する、構成１に記載の人体装着具である。挿入孔部が、シート状の基材部の両方の表面に開口を有する貫通孔部であることにより、人体装着具を人体に装着したときに、付加部材を人体に接触させかつ付加部材を外部に対して露出させることができる。この結果、付加部材の装飾性及び健康増進性の二つの機能を発揮させることができる。【００１１】（構成３）
本発明の構成３は、貫通孔部の一方の端部である第１端部の断面の最小寸法Ｒ１ｉｎ＿ｍｉｎと、貫通孔部の中央部における断面の最小寸法Ｒ＿ｍｉｎとの関係が、Ｒ１ｉｎ＿ｍｉｎ≦Ｒ＿ｍｉｎであり、貫通孔部の第１端部とは反対側の端部である第２端部の断面の最小寸法Ｒ２ｉｎ＿ｍｉｎと、貫通孔部の中央部における断面の最小寸法Ｒ＿ｍｉｎとの関係が、Ｒ２ｉｎ＿ｍｉｎ≦Ｒ＿ｍｉｎである、構成２に記載の人体装着具である。本発明の人体装着具では、弾性を有する基材部に設けられた、所定の形状の挿入孔部に付加部材を挿入することにより、付加部材を確実に保持することができる。【００１２】（構成４）
本発明の構成４は、貫通孔部の第１端部の断面の最小寸法Ｒ１ｉｎ＿ｍｉｎが、貫通孔部の中央部における最小寸法Ｒ＿ｍｉｎの５０〜９８％である、構成３に記載の人体装着具である。本発明の人体装着具では、貫通孔部の中央部における最小寸法Ｒ＿ｍｉｎが、貫通孔部の第１端部の断面の最小寸法Ｒ１ｉｎ＿ｍｉｎより小さいことにより、貫通孔部に挿入した付加部材を、より確実に保持することができる。【００１３】（構成５）
本発明の構成５は、シート状の基材部の厚さＴが、貫通孔部の第１端部から第２端部までの長さＬの５〜５０％以下であり、第２端部と、基材部の第２端部側の表面を含む平面との距離Ｄが、長さＬの０〜２０％である、構成３又４に記載の人体装着具である。シート状の基材部が、貫通孔部の貫通孔に対して所定の位置にあることにより、本発明の人体装着具を、安定に人体に装着することができる。【００１４】（構成６）
本発明の構成６は、挿入孔部の断面形状が、楕円、円形又は多角形である、構成１〜５のいずれか１項に記載の人体装着具である。挿入孔部の断面形状が、楕円、円形又は多角形であることにより、挿入した付加部材を挿入孔部に確実に保持することができる。【００１５】（構成７）
本発明の構成７は、挿入孔部の開口を有する少なくとも一方の端部の断面の形状と、挿入孔部の中央部における断面の形状が、同じである、構成６に記載の人体装着具である。挿入孔部の開口を有する少なくとも一方の端部の断面の形状と、挿入孔部の中央部における断面の形状が、同じであることにより、挿入孔部の加工を容易にし、付加部材の挿入が容易になる。【００１６】（構成８）
本発明の構成８は、挿入孔部の開口の断面形状が円であり、貫通孔部の中央部における断面形状が多角形である、構成６に記載の人体装着具である。挿入孔部の開口の断面形状が円であり、貫通孔部の中央部における断面形状が多角形であることにより、挿入した付加部材の保持を確実にすることができる。【００１７】（構成９）
本発明の構成９は、シート状の基材部が、帯状の形状であり、複数の挿入孔部が帯状の基材部の幅の略中央に一列に形成される、構成１〜８のいずれか１項に記載の人体装着具である。挿入孔部が、シート状の基材部に対して所定の配列とすることにより、ブレスレット状の人体装着具を得ることができる。【００１８】（構成１０）
本発明の構成１０は、基材部の長さ方向の少なくとも一方の端部に、他方の端部と連結するための連結部を有する、構成１〜９のいずれか１項に記載の人体装着具である。人体装着具が、所定の連結部を有することにより、人体装着具を人体に対する着脱が容易になる。【００１９】（構成１１）
本発明の構成１１は、基材部の材料が、シリコーン樹脂又は熱可塑性エストラマーである、構成１〜１０のいずれか１項に記載の人体装着具である。基材部の材料が、所定の材料であることにより、基材部が好適な弾性を有することができるので、挿入孔部に対して付加部材を挿入し、保持することが容易となる。【００２０】（構成１２）
本発明の構成１２は、貫通孔部の貫通孔に付加部材を挿入したブレスレット、アンクレット、ネックレス、ベルト又は時計のバンドである、構成１〜１１のいずれか１項に記載の人体装着具である。本発明の人体装着具は、具体的には、ブレスレット、アンクレット、ネックレス、ベルト又は時計のバンドとして用いることができる。
【発明の効果】
【００２１】  本発明により、鉱物等の付加部材に貫通孔を設けることなく付加部材を保持することができ、また、付加部材の種類を変更することが容易な人体装着具を得ることができる。
【図面の簡単な説明】
【００２２】
【図１Ａ】  本発明の人体装着具の一例を示す模式図であって、（ａ）平面模式図及び（ｂ）側面模式図である。
【図１Ｂ】  本発明の人体装着具の別の一例を示す模式図であって、（ａ）平面模式図及び（ｂ）側面模式図である。
【図２】  図１Ａに示す本発明の人体装着具に球状の連結部を連結した場合の一例を示す側面模式図である。
【図３】  本発明の人体装着具の挿入孔部付近の断面模式図である。
【図４】  本発明の人体装着具の挿入孔部に、付加部材を挿入した状態を示す断面模式図である。
【図５】  本発明の人体装着具の、二つの開口を有する挿入孔部等の寸法の関係を説明するための断面模式図である。
【図６】  本発明の人体装着具の、ひとつの開口を有する挿入孔部等の寸法の関係を説明するための断面模式図である。
【図７】  「断面の最小寸法」及び「断面の最大寸法」を説明するための説明図である。
【発明を実施するための形態】
【００２３】  図１Ａに本発明の人体装着具の一例の、（ａ）平面模式図及び（ｂ）側面模式図を示す。本発明は、シート状の形状であり、弾性を有する基材部１０と、シート状の基材部１０の少なくとも一方の表面に開口を有し、付加部材４０を保持するための挿入孔部２０とを有する、人体装着具である。
【００２４】  付加部材４０とは、装飾部品である宝石等、並びに健康増進効果のある磁石及び鉱物等を意味する。付加部材４０の形状は、球形、回転楕円体、立方体及び直方体等、特に限定されない。しかしながら、人体に接触したときの肌触り及び装飾性などを考慮すると、付加部材４０の形状は、球形又は回転楕円体であることが好ましく、球形であることがより好ましい。
【００２５】  本発明の人体装着具は、基材部１０が弾性を有するため、挿入孔部２０に付加部材４０を挿入することが容易である。また、基材部１０の弾性により、挿入孔部２０に挿入された付加部材４０を保持することができる。そのため、本発明の人体装着具は、付加部材４０に貫通孔を設けることなく付加部材４０を保持することができ、また、付加部材４０の種類を変更することが容易である。
【００２６】  本発明の人体装着具について、図１Ａ、図１Ａ及び図２〜図７を参照して、さらに具体的に説明する。
【００２７】  本発明の人体装着具は、シート状の形状の基材部１０を有する。シート状の基材部１０は弾性を有するので、人体装着具を人体に装着する際には、伸縮が可能であり、装着が容易であり、装着を確実に行うことができる。
【００２８】  本発明の人体装着具では、基材部１０の材料が、シリコーン樹脂又は熱可塑性エストラマーであることが好ましい。具体的には、信越シリコーン社製の高強度シリコーンゴム（ＫＥ−５５５）を好適に用いることができる。基材部１０の材料が、所定の材料であることにより、基材部１０が好適な弾性を有することができるので、挿入孔部２０に対して付加部材４０を挿入し、保持することが容易となる。基材部１０及び挿入孔部２０は、同一の材料からなることが好ましい。その場合、本発明の人体装着具を一体成型により製造することができる。成形方法としては、具体的には、コンプレッション成型、射出成型及び注型成形などを用いることができる。特に、コンプレッション成型により、本発明の人体装着具の形状を成型することが好ましい。
【００２９】  本発明の人体装着具は、挿入孔部２０を有する。挿入孔部２０は、その中に付加部材４０を保持するための空洞を有する。例えば、図６に示すように、挿入孔部２０は、シート状の基材部１０の少なくとも一方の表面に開口を有する洞窟状の形状であることができる。また、図５に示すように、シート状の基材部１０の両方の表面に開口を有する貫通孔であることもできる。挿入孔部２０が貫通孔を有する場合、本明細書では、挿入孔部２０のことを貫通孔部２０という場合がある。
【００３０】  本発明の人体装着具は、挿入孔部２０が、シート状の基材部１０の両方の表面に開口を有し、基材部１０を貫通するように形成される貫通孔部２０であることが好ましい。挿入孔部２０が、シート状の基材部１０の両方の表面に開口を有する貫通孔部２０であることにより、人体装着具を人体に装着したときに、付加部材４０を人体に接触させかつ付加部材４０を外部に対して露出させることができる。したがって、付加部材４０が宝石等のように装飾性を有する場合には、付加部材４０を外部に対して露出させることにより、装飾性の機能を発揮させることができる。さらに、付加部材４０が磁気を帯びるなど、健康増進性がある場合には、付加部材４０を人体に接触させることができるので、健康増進性の機能を発揮させることができる。
【００３１】  図５に示すように、本発明の人体装着具が、シート状の基材部１０の両方の表面に開口を有する場合、貫通孔部２０の一方の端部である第１端部２１の断面の最小寸法Ｒ１ｉｎ＿ｍｉｎと、貫通孔部の中央部２３における断面の最小寸法Ｒ＿ｍｉｎとの関係が、Ｒ１ｉｎ＿ｍｉｎ≦Ｒ＿ｍｉｎであることが好ましい。貫通孔部２０の一方の端部である第１端部２１の最小寸法が、貫通孔部の中央部２３における断面の最小寸法に等しいか、より小さいことにより、貫通孔部２０に装着した付加部材４０の保持を確実にすることができる。
【００３２】  本明細書で「断面の最小寸法」とは、断面の輪郭の任意の二点間の長さのうち、最も短い長さのことをいう。例えば、断面が、図７に示すような楕円形である場合、断面の最小寸法は、短軸の長さとなる。また、本明細書で「断面の最大寸法」とは、断面の輪郭の任意の二点間の長さのうち、最も長い長さのことをいう。例えば、断面が、図７に示すような楕円形である場合、断面の最大寸法は、長軸の長さとなる。
【００３３】  本発明の人体装着具は、第１端部２１と同様に、貫通孔部２０の第１端部２１とは反対側の端部である第２端部２２の断面の最小寸法Ｒ２ｉｎ＿ｍｉｎと、貫通孔部の中央部２３における断面の最小寸法Ｒ＿ｍｉｎとの関係が、
Ｒ２ｉｎ＿ｍｉｎ≦Ｒ＿ｍｉｎ
であることが好ましい。貫通孔部２０の第２端部２２の最小寸法が、貫通孔部の中央部２３における断面の最小寸法に等しいか、より小さいことにより、貫通孔部２０に装着した付加部材４０の保持を確実にすることができる。
【００３４】  また、図６に示すように、本発明の人体装着具が、シート状の基材部１０の一方の表面に開口を有する場合にも、図５に示す例で説明したことと同様に、図６に示す端部の断面の最小寸法Ｒ２ｉｎ＿ｍｉｎと、貫通孔部の中央部２３における断面の最小寸法Ｒ＿ｍｉｎとの関係が、
Ｒ２ｉｎ＿ｍｉｎ≦Ｒ＿ｍｉｎ
であることが好ましい。
【００３５】  本発明の人体装着具は、貫通孔部２０の第１端部２１の断面の最小寸法Ｒ１ｉｎ＿ｍｉｎが、貫通孔部の中央部２３における最小寸法Ｒ＿ｍｉｎの５０〜９８％であることが好ましく、６０〜９５％であることがより好ましく、７０〜９０％であることがさらに好ましい。貫通孔部２０の開口部である第１端部２１が小さすぎる場合には、付加部材４０を貫通孔部２０に挿入することが困難になる。そのため、貫通孔部２０の第１端部２１の断面の最小寸法と、貫通孔部の中央部２３における最小寸法との関係は、上述のような関係であることが適切である。なお、貫通孔部２０の第１端部２１及び第２端部２２の断面の最小寸法Ｒ１ｉｎ＿ｍｉｎ及びＲ２ｉｎ＿ｍｉｎの大きさは、基材部１０の材料の弾性率等を考慮して、付加部材４０が通過可能な大きさとするために、適宜、選択することができる。
【００３６】  本発明の人体装着具は、シート状の基材部１０の厚さＴが、貫通孔部２０の第１端部２１から第２端部２２までの長さＬの５〜５０％以下であることが好ましく、１０〜４５％であることがより好ましく、２０〜４０％であることがさらに好ましい。シート状の基材部１０の厚さＴが厚過ぎると、人体装着具の材料の使用量が増加するために不経済である。そのため、シート状の基材部１０の厚さＴと、貫通孔部２０の第１端部２１から第２端部２２までの長さＬとの関係は、上述のような所定の割合の範囲であることが好ましい。
【００３７】  また、本発明の人体装着具は、第２端部２２と、基材部１０の第２端部２２側の表面を含む平面との距離Ｄが、長さＬの０〜５０％であることが好ましく、３〜２０％であることがより好ましく、５〜１５％であることがさらに好ましい。基材部１０が、第２端部２２の近くに配置されることにより、第２端部２２が人体の側になるように人体装着具を人体に装着すると、安定に人体に装着することできるので、より良いフィット感を得ることができる。また、基材部１０が配置される第２端部２２の開口は、挿入孔部２０（貫通孔部２０）の内部に比べて、弾性が強くなり、広がり難くなる。そのため、挿入孔部２０（貫通孔部２０）の内部の断面形状と、第２端部２２の開口の形状が同じであったとしても、その断面形状より大きな形状の付加部材４０を挿入すると、第２端部２２の開口から付加部材４０が抜け難くなるため、付加部材４０を確実に保持することができる。
【００３８】  また、本発明の人体装着具の別の態様では、貫通孔部２０の第１端部２１と、第２端部２２との間の略中央（長さＬの１／２の位置）に、基材部１０の厚さＴの方向の中央（厚さＴの１／２の位置）が位置するように、基材部１０を配置することができる。具体的には、基材部１０の厚さＴの１／２の位置を、貫通孔部２０の長さＬの１／２の位置から、長さＬの１０％以内の位置に配置することが好ましく、長さＬの５％以内の位置に配置することがより好ましい。貫通孔部２０の第１端部２１と、第２端部２２との間の略中央に基材部１０を配置することにより、本発明の人体装着具は、さらなる別の美観を呈することができる。
【００３９】  本発明の人体装着具は、挿入孔部２０の断面形状が、楕円、円形又は多角形であることが好ましい。挿入孔部２０の断面形状は、特に限定されない。また、挿入孔部２０の断面形状は、付加部材４０の形状に合わせて適宜選択することができる。一般的には、挿入孔部２０の断面形状が、楕円、円形又は多角形であることにより、挿入した付加部材４０を挿入孔部２０に確実に保持することができる。なお、多角形としては、四角形以上の多角形、好ましくは、六角形以上の多角形が好ましい。加工の容易性等を考慮すると、多角形としては、正六角形がより好ましい。
【００４０】  本発明の人体装着具は、挿入孔部２０の開口を有する少なくとも一方の端部の断面の形状と、挿入孔部２０の中央部における断面の形状が、同じ（相似形状又は同一の形状）であることが好ましい。挿入孔部２０の開口を有する少なくとも一方の端部の断面の形状と、挿入孔部２０の中央部における断面の形状とが、同じであることにより、挿入孔部２０の加工を容易にし、付加部材４０の挿入が容易になる。特に、挿入孔部２０の開口を有する少なくとも一方の端部の断面の形状と、挿入孔部２０の中央部における断面の形状とが、同一の寸法の形状であることが、挿入孔部２０の加工がより容易になるため、好ましい。
【００４１】  本発明の人体装着具は、挿入孔部２０の開口の断面形状が円であり、貫通孔部の中央部２３における断面形状が多角形であることが好ましい。例えば、挿入孔部２０の開口の断面形状である円の形状が、貫通孔部の中央部２３における断面形状である多角形に内接するような円である場合には、貫通孔部の中央部２３における断面形状の最大寸法は、挿入孔部２０の開口の断面形状である円の直径より大きくなることとなる。そのため、挿入孔部２０に挿入した付加部材４０の保持を確実にすることができる。
【００４２】  本発明の人体装着具は、図１Ａに示すように、シート状の基材部１０を帯状の形状とし、複数の挿入孔部２０が帯状の基材部１０の幅の略中央に一列に形成されるようにすることができる。挿入孔部２０の配列が、シート状の基材部１０に対して所定の配列とすることにより、ブレスレット状の人体装着具を得ることができる。
【００４３】  なお、シート状の基材部１０の形状は、短冊様の帯状の形状には限られない。例えば、図２Ａに示すように、隣り合う挿入孔部２０の開口を接続する基材部１０が、隣り合う挿入孔部２０の中心を結ぶ直線に対して同じ角度を有するように斜めになるような形状とすることもできる。図１Ｂのようなシート状の基材部１０の形状とすることにより、人体装着具の美観を増すことができる。
【００４４】  本発明の人体装着具は、基材部１０の長さ方向の少なくとも一方の端部に、他方の端部と連結するための連結部（例えば、連結用開口３０及び凸状連結部３１）を有することが好ましい。連結するための連結部は、公知の連結機構を用いることができる。図１Ａに示す例では、一方の端部に設けられた円形の開口（連結用開口３０）に、他方の端部の凸状の部分（凸状連結部３１）を挿入することにより、基材部１０の両端を接続し、図２に示すようなリング状の人体装着具として、人体に装着することができる。このように、適切な連結部を設けることにより、人体装着具を人体に対して着脱することが容易になる。
【００４５】  本発明の人体装着具は、貫通孔部２０の貫通孔に鉱物等の付加部材４０を挿入することによって、ブレスレット、アンクレット、ネックレス、ベルト又は時計のバンドとすることができる。図２及び図４に、本発明の人体装着具の貫通孔部２０に付加部材４０を挿入した状態を示している。本発明のブレスレット等の人体装着具は、付加部材４０を容易に交換することが可能である。そのため、流行などによって、鉱物、例えば宝石等の装飾部品、及び／又は磁石等の健康増進部品などの付加部材４０の種類を容易に交換することができる。
【００４６】  第１端部及び第２端部の断面の最小寸法Ｒ１ｉｎ＿ｍｉｎ及びＲ２ｉｎ＿ｍｉｎ、並びにと、貫通孔部の中央部における断面の最小寸法Ｒ＿ｍｉｎは、付加部材４０の大きさに合わせて、適宜選択できる。また、逆に、付加部材４０の大きさを断面の最小寸法Ｒ＿ｍｉｎ等の寸法に合わせて適宜選択することができる。付加部材が球の場合、付加部材の直径ｒと、貫通孔部の中央部における断面の最大寸法Ｒ＿ｍａｘとの関係は、
ｒ≧Ｒ＿ｍａｘ
であることが好ましく、
ｒ≧Ｒ＿ｍａｘ×１．１
であることが、より好ましい。
【００４７】  以上、本発明の人体装着具について説明したが、本発明の人体装着具は、本発明の効果を損なわない範囲での変更が可能であることはいうまでもない。例えば、本発明の人体装着具は、複数列の貫通孔部２０を基材部１０に配置した腹巻として用いることができる。同様に、本発明の人体装着具は、レッグウォーマー状、ソックス状、襟巻き状又は鉢巻状の形状の人体装着具として用いることもできる。
【実施例】
【００４８】  図１Ａに示すような人体装着具を、次のようにして製造した。
材料：シリコーン樹脂
製造方法：一体成型【００４９】  製造した人体装着具の寸法は、図５を参照すると、下記の通りだった。
第１端部２１の開口：  Ｒ１ｉｎ＿ｍｉｎ＝５．４ｍｍ（φ５．４ｍｍの円形）
挿入孔部２０の中央部：  Ｒ＿ｍｉｎ＝６ｍｍ（φ７ｍｍの円に内接する正六角形）
第２端部２２の開口：  Ｒ２ｉｎ＿ｍｉｎ＝６ｍｍ（φ６ｍｍの円形）
貫通孔部２０の長さ：  Ｌ＝５．５ｍｍ
基材部１０の厚さ：  Ｔ＝１．５ｍｍ
第２端部２２と、基材部１０の第２端部２２側の表面を含む平面との距離：  Ｄ＝０．５ｍｍ
挿入孔部の数：  １２個
挿入孔部の中心の間隔：  １５．６ｍｍ
連結部：  図１Ａに示すように、一端に連結用の開口（連結用開口３０）を配置し、凸状連結部３１の凸状の挿入孔部を開口に挿入することで、人体装着具の両端を連結することができる構造とした。【００５０】  上述のようにして製造した人体装着具に、直径８ｍｍの球形の宝石（付加部材４０）を１２個の貫通孔部（挿入孔部）２０に挿入した。宝石は、貫通孔部２０に容易に挿入することができた。【００５１】  宝石を挿入した人体装着具を腕に巻いて、連結部を固定することにより、ブレスレットとして使用した。挿入した宝石は、外部から視認可能であり、装飾性を有した。また、宝石は、人体に接触することができたので、宝石が健康増進性を有する場合には、その機能も発揮することができることは明らかである。
【符号の説明】
【００５２】１０  基材部
２０  貫通孔部（挿入孔部）
２１  第１端部
２２  第２端部
２３  貫通孔部の中央部
３０  連結用開口
３１  凸状連結部
４０  付加部材
【図１Ａ】
2014171850.tif 000003
【図１Ｂ】
2014171850.tif 000004
【図２】
2014171850.tif 000005
【図３】
2014171850.tif 000006
【図４】
2014171850.tif 000007
【図５】
2014171850.tif 000008
【図６】
2014171850.tif 000009
【図７】
2014171850.tif 000010